(57)【要約】【課題】外部から衝撃荷重等の大きな荷重がかかっても、樹脂モールド成形体に対する応力集中を緩和し、破壊に至るのを抑制できるリアクトルを提供する。【解決手段】支持体２と樹脂モールド成形体４とを固定する固定金具６を、樹脂モールド成形体４のインサート品として、樹脂モールド成形体４の側面から突出するように一体的に形成し、この固定金具６の突出基端となる根元６１を樹脂モールド成形体４と一体の樹脂で被覆した根元被覆部４４を設けた。【選択図】図１
2014116494.tif 000002
【特許請求の範囲】
【請求項１】
磁性体からなるコアと、
前記コアを包み込む樹脂モールド成形体と、
前記樹脂モールド成形体を介して前記コアに巻回されるコイルと、
前記樹脂モールド成形体のインサート品として一体的に形成され、前記樹脂モールド成形体から突出する固定金具と、
前記樹脂モールド成形体と一体の樹脂からなり、前記固定金具の突出基端となる根元を少なくとも被覆する被覆部と、
前記固定金具を介して前記樹脂モールド成形体を固定する支持体と、
を備えること、
を特徴とするリアクトル。
【請求項２】
前記固定金具は、前記樹脂モールド成形体からの突出部分に屈曲部を有し、
前記被覆部は、前記固定金具の根元から屈曲部までを覆うこと、
を特徴とする請求項１記載のリアクトル。
【請求項３】
前記被覆部は、前記固定金具の前記樹脂モールド成形体からの突出部分を概略全体にわたって覆うこと、
を特徴とする請求項１記載のリアクトル。
【請求項４】
前記固定金具は、先端にボルトを挿入するための穴部を有し、
前記被覆部は、前記穴部と其の周縁を除いて前記固定金具を厚みを持って覆うことで、前記穴部に通じる陥没領域を形成し、
前記支持体は、前記ボルトを挿入するためのボルト穴が形成され、前記陥没領域と同寸法の隆起部を有し、
前記陥没領域に前記隆起部を嵌め込むと、前記固定金具の穴部と前記ボルト穴とが位置合わせされること、
を特徴とする請求項１乃至３の何れかに記載のリアクトル。
【請求項５】
前記陥没領域は、前記穴部の全周囲を囲む樹脂のエッジにより画成されていること、
を特徴とする請求項４記載のリアクトル。
【請求項６】
前記陥没領域は、前記穴部の一部周囲を囲む樹脂のエッジにより画成され、当該エッジから前記固定金具の先端までの樹脂で被覆されていない領域であること、
を特徴とする請求項４記載のリアクトル。
【発明の詳細な説明】
【技術分野】
【０００１】
本発明は、電気自動車やハイブリッド車などの車両、その他の振動が生じやすい環境でも使用可能なリアクトルに関する。
【背景技術】
【０００２】
リアクトルは、巻線を利用して交流成分に対して誘導性リアクタンスを与える受動素子であり、リアクトル本体と、リアクトル本体を固定する支持体を有する。
【０００３】
リアクトル本体は、磁性体を主材料とするコアを樹脂モールド成形体で包み込み、その樹脂モールド成形体の外表にコイルを巻回することで構成されている。樹脂モールド成形体には、その周囲から突出する複数本の固定金具が設けられており、リアクトル本体は、この固定金具を介して支持体とボルトで締結固定される。
【０００４】
一般的には、固定金具は、樹脂モールド成形体の金型内にインサート品としてセットされ、金型内に樹脂が充填されることにより、樹脂モールド成形体と一体に形成される。つまり、固定金具は、一端が樹脂モールド成形体を形成する樹脂内に埋没し、他端が樹脂モールド成形体を形成する樹脂から露出している（例えば、特許文献１乃至３参照。）。
【先行技術文献】
【特許文献】
【０００５】
【特許文献１】特開２０１２−１１４１９０号公報
【特許文献２】特開２００９−２７２５０８号公報
【特許文献３】特開２００９−２６９５２号公報
【発明の概要】
【発明が解決しようとする課題】
【０００６】
近年、電気自動車やハイブリッド車などの電動機を動力源として走行する車両の開発が進展している。それに呼応するように、リアクトルが振動の大きな環境でも其の使用に耐え得るか否かが関心事項の１つとなっている。これら車両の駆動制御システム等に搭載され、又は搭載が予定されるからである。すなわち、リアクトルには、外部環境から伝播する振動に対する耐久性の向上が求められている。
【０００７】
そこで、従来のリアクトルに対する応力の分布を測定してみたところ、図３の（ａ）（ｃ）（ｅ）に示す赤外線応力画像からわかるように、固定金具の根元、及び固定金具の根元と接する樹脂モールド成形体の境界部分に対して大きな応力集中が起こっていることがわかった。この結果、外部から大きな衝撃荷重等がかかった場合、先ずは、固定金具の根元と接する樹脂モールド成形体の境界部分にクラックが発生し、そのクラックを基点にしてリアクトルの破壊に至る可能性がある。
【０００８】
本発明は、上述のような問題点を解決するために提案されたものであり、外部から衝撃荷重等の大きな荷重がかかっても、樹脂モールド成形体に対する応力集中を緩和し、破壊に至るのを抑制できるリアクトルを提供することを目的とする。
【課題を解決するための手段】
【０００９】
上述の課題を解決すべく、本発明のリアクトルは、磁性体からなるコアと、前記コアを包み込む樹脂モールド成形体と、前記樹脂モールド成形体を介して前記コアに巻回されるコイルと、前記樹脂モールド成形体のインサート品として一体的に形成され、前記樹脂モールド成形体から突出する固定金具と、前記樹脂モールド成形体と一体の樹脂からなり、前記固定金具の突出基端となる根元を少なくとも被覆する被覆部と、前記固定金具を介して前記樹脂モールド成形体を固定する支持体と、を備えること、を特徴とする。
【００１０】
前記固定金具は、前記樹脂モールド成形体からの突出部分に屈曲部を有し、前記被覆部は、前記固定金具の根元から屈曲部までを覆うようにしてもよい。
【００１１】
前記被覆部は、前記固定金具の前記樹脂モールド成形体からの突出部分を概略全体にわたって覆うようにしてもよい。
【００１２】
前記固定金具は、先端にボルトを挿入するための穴部を有し、前記被覆部は、前記穴部と其の周縁を除いて前記固定金具を厚みを持って覆うことで、前記穴部に通じる陥没領域を形成し、前記支持体は、前記ボルトを挿入するためのボルト穴が形成され、前記陥没領域と同寸法の隆起部を有し、前記陥没領域に前記隆起部を嵌め込むと、前記固定金具の穴部と前記ボルト穴とが位置合わせされるようにしてもよい。
【００１３】
前記陥没領域は、前記穴部の全周囲を囲む樹脂のエッジにより画成されているようにしてもよく、また、前記穴部の一部周囲を囲む樹脂のエッジにより画成され、当該エッジから前記固定金具の先端までの樹脂で被覆されていない領域を前記陥没領域とすることもできる。
【発明の効果】
【００１４】
本発明によれば、固定金具の根元と接する樹脂モールド成形体の境界部に対する応力集中は緩和され、樹脂モールド成形体と固定金具との接合部分に入りやすかったクラックを防止することができ、リアクトルの破壊を初期段階で食い止めることができる。
【図面の簡単な説明】
【００１５】
【図１】本実施形態に係るリアクトルを示し、（ａ）はリアクトル本体の分解図、（ｂ）はリアクトル本体の完成図、（ｃ）はリアクトル本体を収納する支持体を示す。
【図２】本実施形態に係るリアクトルが備える固定金具を示し、（ａ）は樹脂で被覆された状態と被覆されていない状態とを示す比較図、（ｂ）は根元被覆部を示す断面図、（ｃ）は屈曲領域被覆部を示す断面図、（ｄ）及び（ｅ）は固定金具を被覆する樹脂のエッジ位置を示す断面図である。
【図３】解析ソフトを用いて、リアクトルに対して各方向から加振したときの応力分布を示す解析画像である。
【図４】解析ソフトを用いた解析により得られた応力値をまとめた表である。
【発明を実施するための形態】
【００１６】
（全体構成）
図１に示すリアクトルは、巻線を利用して交流成分に対して誘導性リアクタンスを与える受動素子であり、インバータ回路、アクティブフィルタ回路、直流昇圧回路等に使用される。このリアクトルは、リアクトル本体１と、リアクトル本体１を固定する支持体２を有する。
【００１７】
リアクトル本体１は、磁性体を主材料とするコア３を樹脂モールド成形体４で包み込み、その樹脂モールド成形体４の外表にコイル５を巻回することで構成されている。また、リアクトル本体１には、その周囲に複数本の固定金具６が延設されている。固定金具６は、リアクトル本体１を支持体２に固定する金具であり、ステイとも呼ばれる。
【００１８】
本実施形態の固定金具６は、樹脂モールド成形体４の金型内にインサート品としてセットされ、金型内に樹脂が充填されることにより、樹脂モールド成形体４と一体に形成される。固定金具６の一端は樹脂モールド成形体４の側面よりも内部に埋没し、他端は樹脂モールド成形体４の側面よりも外側に突出している。
【００１９】
図２に示すように、固定金具６において、樹脂モールド成形体４の側面からの突出基端を根元６１という。この固定金具６の根元６１から先は、樹脂モールド成形体４から一体に続く樹脂で被覆されている。樹脂による被覆によって応力集中を緩和するためである。応力集中が起こる箇所は、材質や形状が急激変化する部分である。リアクトルにおいて応力集中が起こりやすい箇所は、例えば、固定金具６の根元６１、固定金具６の屈曲部６２、及び固定金具６の根元６１に接する樹脂モールド成形体４の境界部４３等である。樹脂モールド成形体４から一体に続く樹脂は、これら部分の材質や形状変化を緩やかにし、または厚みを増加させることで、応力集中の緩和をもたらす。
【００２０】
（各部構成）
図１に戻り、コア３の主材料は、例えばフェライトが挙げられる。このコア３は、環形状を有し、その断面は略矩形である。例えば、コア３は、環中心の空隙部分が視認可能な方向から見ると、平行に配設された同長の２本の直線部分とこれらの端部を繋ぐ２つの半円形からなる角丸長方形状を有している。
【００２１】
コア３の直線部分は、複数の磁性体ブロック３１に分断されている。この磁性体ブロック３１の間には、セラミック等のスペーサ３２が介在している。これら磁性体ブロック３１とスペーサ３２は接着剤で固定されている。スペーサ３２は、磁性体ブロック３１間に所定幅の磁気的なギャップを持たせ、リアクトルのインダクタンス低下の防止を図っている。
【００２２】
樹脂モールド成形体４は、コア３を包み込むべく、コア３に倣って中空の環形状を有し、断面が略矩形となっている。この樹脂モールド成形体４は、コイル５に対するボビン、及びコア３とコイル５とを絶縁する絶縁体である。主材料としては、例えば、不飽和ポリエステル系樹脂、ウレタン樹脂、エポキシ樹脂、ＢＭＣ（Ｂｕｌｋ  Ｍｏｌｄｉｎｇ  Ｃｏｍｐｏｕｎｄ）、ＰＰＳ（Ｐｏｌｙｐｈｅｎｙｌｅｎｅ  Ｓｕｌｆｉｄｅ）、ＰＢＴ（Ｐｏｌｙｂｕｔｙｌｅｎｅ  Ｔｅｒｅｐｈｔｈａｌａｔｅ）等が挙げられる。
【００２３】
樹脂モールド成形体４は、略Ｃ字形状の第１分離体４１と略Ｕ字形状の第２分離体４２とを別々に成形しておき、互いの端部を突き合わせることで構成される。第１分離体４１と第２分離体４２とを別々に成形するのは、コア３の直線部分を構成する磁性体ブロック３１とスペーサ３２とを内部に収容するため、及びコイル５を嵌め込むためである。コア３の半円形部分（不図示）については、インサート品として第１分離体４１と第２分離体４２の金型内にセットしておくことで、樹脂モールド成形体４と一体的に形成される。
【００２４】
コイル５は、エナメル被覆した銅線である。このコイル５は、コア３の各直線部分に樹脂モールド成形体４を介して巻回されている。より詳細には、コイル５は、角筒状に予め巻回されており、コア３を収容した略Ｕ字状の第２分離体４２の直線部分に嵌め込まれる。一対のコイル５の巻き終わり端は溶接により電気的に接合され、又は連続して巻回されている。巻き始め端は各々引出リード線として外部に引き出される。
【００２５】
支持体２は、アルミニウム等の熱伝導性の高い金属ケースであり、バスタブ形状を有し、リアクトル本体１の放熱ベースとなる。すなわち、支持体２は、上面が開口し、リアクトル本体１に合わせた同寸法の内部空間を有する。リアクトル本体１は、この内部空間に収納される。
【００２６】
支持体２の開口の縁端面には、複数箇所に、隆起部２１が設けられる。隆起部２１は、後述する固定金具６の陥没領域４７と同寸法の突起である。隆起部２１の頂点には、ボルト穴２２が穿設されている。固定金具６に陥没領域４７を設けない場合には、支持体２に隆起部２１を設けずに、開口の縁端面に直接ボルト穴２２を穿設するようにしてもよい。
【００２７】
支持体２とリアクトル本体１とを固定する固定金具６は、図２の（ａ）左側図に示されるように、樹脂モールド成形体４の側面から突出した金属製の板形状を有する。固定金具６の先端部分は、幅広になっており、ボルトが挿入される穴部６３が貫設されている。
【００２８】
この固定金具６は、図２の（ａ）右側図に示されるように、樹脂モールド成形体４と一体の樹脂で概略全体が被覆されている。但し、固定金具６を被覆する樹脂は、以下のように被覆箇所に応じた機能で区別でき、機能の選択に応じて被覆箇所を限定してもよい。
【００２９】
すなわち、図２の（ｂ）に示すように、樹脂モールド成形体４と一体に形成される樹脂は、固定金具６の根元６１を覆っている。換言すると、樹脂モールド成形体４は、固定金具６の根元６１を樹脂により被覆する根元被覆部４４とを備えている。この根元被覆部４４は、樹脂モールド成形体４の境界部４３と連続して一体に形成されている。境界部４３は、樹脂モールド成形体４の各部のうち、固定金具６の根元６１と接する箇所である。
【００３０】
また、図２の（ｃ）に示すように、固定金具６に屈曲部６２が存在する場合、その屈曲部６２も樹脂モールド成形体４と一体の樹脂で被覆するようにしてもよい。換言すると、樹脂モールド成形体４は、固定金具６の屈曲部６２を樹脂で被覆する屈曲領域被覆部４５を備えている。
【００３１】
本実施形態の場合、固定金具６は、樹脂モールド成形体４の側面から水平に外側へ突出し、途中で段部を形成するように連続する２度の屈曲を経て、再度、外側に向かって水平に延びている。このような固定金具６では、樹脂モールド成形体４の側面と固定金具６の屈曲部６２とは距離がある。つまり、屈曲領域被覆部４５は、樹脂モールド成形体４の境界部４３から根元被覆部４４を経た一続きの樹脂により形成されることになる。
【００３２】
根元被覆部４４と屈曲領域被覆部４５は、外部からリアクトルに及ぶ衝撃荷重によって生じる、固定金具６の根元６１、樹脂モールド成形体４の境界部４３、及び固定金具６の屈曲部６２への応力集中を緩和し、これらの破壊を防止するものである。
【００３３】
すなわち、根元被覆部４４は、樹脂モールド成形体４の境界部４３から盛り上がる余盛となり、固定金具６の根元６１と樹脂モールド成形体４の境界部４３の厚みを増加させ、応力集中を緩和する。屈曲領域被覆部４５は、固定金具６の屈曲部６２が有する曲率半径を大きくし、また屈曲部６２の厚みを増加させることで、応力集中を緩和する。
【００３４】
但し、図２の（ｄ）又は（ｅ）に示すように、ボルトを通す穴部６３の内縁面及び周縁領域は樹脂で被覆せずに露出させておくことが望ましい。樹脂は、ボルトの締め圧力によって割れやすく、またクリープによりボルトが緩みやすくなるからである。
【００３５】
また、穴部６３周りは樹脂で被覆せず、更に其の外周囲は一定の厚みを有するように樹脂で被覆すれば、穴部６３周りに樹脂のエッジ４６が形成される。その結果、固定金具６には、エッジ４６で画成され、穴部６３を収容した陥没領域４７が設けられることになる。
【００３６】
この陥没領域４７に支持体２の隆起部２１を嵌め込むことで、支持体２のボルト穴２２と固定金具６の穴部６３との位置合わせが容易になり、リアクトル本体１の精度の高い支持体２への固定が達成される。
【００３７】
エッジ４６は、図２の（ｄ）に示すように、穴部６３の周縁を全周囲に亘って囲むように形成し、固定金具６は、陥没領域４７以外は最先端部まで樹脂で完全に覆われるようにしてもよい。また、エッジ４６は、図２の（ｅ）に示すように、穴部６３の周囲のうち一部を囲うように形成し、固定金具６は、そのエッジ４６よりも先端側を樹脂から露出させるようにしてもよい。このエッジ４６から先端側の樹脂で被覆されていない領域も隆起部２１の嵌め込みに十分寄与し、本実施形態の陥没領域４７といえる。
【００３８】
（作用）
解析ソフトを用いて、リアクトルに対して各方向から加振したときの応力分布を解析した。
【００３９】
図３は、解析により得られた応力分布を示す画像である。図中、左側欄は、固定金具６を樹脂で被覆せずに露出した状態で外力を加えた場合の比較画像である。右側欄は、固定金具６を樹脂モールド成形体４と一体の樹脂で被覆した状態で外力を加えた場合の画像である。更に、図４は、解析により得られた応力値をまとめた表である。
【００４０】
図３の（ａ）に示すように、上下方向、すなわち固定金具６の平坦面と直交する方向に振動を加えた。このとき、主に、固定金具６の根元６１及び樹脂モールド成形体４の境界部４３に大きな応力が生じていることがわかる。そのため、固定金具６を樹脂で被覆しない場合には、樹脂モールド成形体４の境界部４３には１１０．９ＭＰａの応力が集中し、固定金具６の根元６１には３３７．３ＭＰａの応力が集中している。
【００４１】
これに対し、図３の（ｂ）に示すように、本実施形態の樹脂モールド成形体４では、固定金具６の根元６１は根元被覆部４４で固定されており、また固定金具６の根元６１から樹脂モールド成形体４の境界部４３に伝播する振動の一部が更に根元被覆部４４に伝播するため、応力が分散していることがわかる。このため、境界部４３に対する応力は７８．９ＭＰａに減少し、固定金具６に対する応力は３３０．１ＭＰａに減少した。その減少率は、固定金具６に対しては２．１％、樹脂モールド成形体４に対しては２８．９％となった。
【００４２】
次に、図３の（ｃ）に示すように、長手方向、すなわち固定金具６に対して引っ張り及び押し込みの力を交互に連続的に与える振動を加えた。このとき、主に、固定金具６の根元６１、固定金具６の屈曲部６２、及び樹脂モールド成形体４の境界部４３に大きな応力が生じていることがわかる。固定金具６を樹脂で被覆しない場合には、樹脂モールド成形体４の境界部４３には３１０．７ＭＰａの応力が集中し、固定金具６には根元６１と屈曲部６２に対して７３９．３ＭＰａの応力が集中している。
【００４３】
これに対し、図３の（ｄ）に示すように、本実施形態の樹脂モールド成形体４では、固定金具６の根元６１は根元被覆部４４で固定されており、固定金具６の屈曲部６２は屈曲領域被覆部４５で固定されており、また固定金具６の根元６１から樹脂モールド成形体４の境界部４３に伝播する振動の一部が更に根元被覆部４４にも伝播するため、応力は分散する。樹脂モールド成形体４の境界部４３に対する応力は１０８．５ＭＰａに減少し、固定金具６に対する応力は１９３．９ＭＰａに減少していることがわかる。その減少率は、固定金具６に対しては７３．８％、樹脂モールド成形体４に対しては６５．１％となった。
【００４４】
更に、図３の（ｅ）に示すように、幅方向、すなわち固定金具６を捻る振動を加えた場合、主に、樹脂モールド成形体４の境界部４３、固定金具６の根元６１、屈曲部６２を中心として全体的に大きな応力が生じていることがわかる。樹脂モールド成形体４の境界部４３には１８０．２ＭＰａの応力が集中し、固定金具６には根元６１と屈曲部６２に対して４６９．７ＭＰａの応力が集中している。
【００４５】
これに対し、図３の（ｆ）に示すように、固定金具６の根元６１から先の概略全体を覆った右側欄の樹脂モールド成形体４では、固定金具６が全体的に固定されるために捻りが阻止され、そのために樹脂モールド成形体４の境界部４３に対する応力も減少していることがわかる。樹脂モールド成形体４に対する応力は８１．８ＭＰａに減少し、固定金具６に対する応力は１３２．３ＭＰａに減少している。その減少率は、固定金具６に対するしては７１．８％、樹脂モールド成形体４に対しては５４．６％となった。
【００４６】
（効果）
以上のように、本実施形態のリアクトルでは、支持体２と樹脂モールド成形体４とを固定する固定金具６を、樹脂モールド成形体４のインサート品として、樹脂モールド成形体４の側面から突出するように一体的に形成した。そして、この固定金具６の突出基端となる根元６１を樹脂モールド成形体４と一体の樹脂で被覆するようにした。これにより、固定金具６の根元６１及び根元６１に接する樹脂モールド成形体４に対する応力集中が緩和されるため、樹脂モールド成形体４と固定金具６との接合部分に入りやすかったクラックを防止することができる。
【００４７】
また、固定金具６が突出部分に屈曲部６２を有する場合、固定金具６の根元６１から屈曲部６２までを樹脂モールド成形体４と一体の樹脂で被覆するようにした。これにより、固定金具６の屈曲部６２に対する応力集中が緩和されるため、この屈曲部６２が金属疲労を起こし、固定金具６が切断されてしまうことを防止できる。
【００４８】
また、固定金具６の概略全体を、樹脂モールド成形体４と一体の樹脂で覆うようにした。これにより、樹脂モールド成形体４の境界部４３、固定金具６の根元６１、固定金具６の屈曲部６２に対するクラックや金属疲労を簡便に防止できるとともに、特に捻りを生じさせる加振に対して強くなる。
【００４９】
更に、固定金具６は、先端にボルトを挿入するための穴部６３を有する。このとき、樹脂モールド成形体４と一体の樹脂で、固定金具６の概略全体を覆うが、穴部６３と其の周縁を除いて一定の厚みを持って覆うようにすることで、穴部６３に通じる陥没領域４７を樹脂で形成するようにした。一方、支持体２には、陥没領域４７と同寸法の隆起部２１を形成し、その隆起部２１にボルトを挿入するためのボルト穴２２を穿設するようにした。
【００５０】
これにより、樹脂モールド成形体４の境界部４３、固定金具６の根元６１、固定金具６の屈曲部６２に対するクラックや金属疲労を簡便に防止できるとともに、支持体２に対するリアクトル本体１の位置決めも容易且つ高精度となり、取り付け不具合により脆弱性が高まる危険性を低下させることができる。
【００５１】
（他の実施形態）
本発明は、以上の実施形態に限定されるものではない。以上の実施形態は例として提示したものであって、その他の様々な形態で実施されることが可能であり、発明の範囲を逸脱しない範囲で、種々の省略や置き換え、変更を行うことができる。この実施形態やその変形は、発明の範囲、要旨、その均等の範囲に含まれる。
【００５２】
例えば、固定金具の本数及び位置は、樹脂モールド成形体を支持体に固定できれば、実施例に限られることはなく、樹脂モールド成形体の両短辺部分に１つずつ設けたり、側方８箇所に均等配置したりすることもできる。樹脂モールド成形体から連続する樹脂性の固定具を追加的に設置してもよい。
【００５３】
固定金具の根元を覆う樹脂の形状についても、余盛り機能を発揮させることができれば何れの形状でもよく、デザイン性を発揮させることも可能であるし、応力のかかり具合に合わせて、根元を覆う被覆部の厚みを根元から先端に向けて滑らかに先細りさせたり、複数の段部を設けて先細りさせたり、直線的に先細りさせたり、または一定の厚みとしたりすることもできる。
【００５４】
固定金具の形状についても、少なくとも根元を樹脂で覆うことができれば、直線的に延びた形状を有していても、Ｕ字、Ｌ字、山型等の各種屈曲を有していてもよい。その屈曲部を被覆部で覆う態様においても、存在する全ての屈曲部を覆う必要はなく、応力が集中しやすい屈曲部を選択して、その屈曲部を樹脂で被覆し、応力集中が少ない幾つかの屈曲部は露出させるようにしてもよい。更には、被覆の厚みについても屈曲部ごとに異ならせることもできる。
【００５５】
また、リアクトル本体と支持体との固定関係については、固定金具部分についてのみ説明したが、この固定金具を使った固定関係のみに頼ることなく、支持体の収容空間にリアクトル本体を収納した後に、絶縁性の樹脂を流し込んで固めるようにしてもよい。更に、支持体は、リアクトル本体が固定されるものであれば何れでもよく、四方及び底面を囲む収容体のみならず、側壁が存在しないコの字状に曲げられた平板等のブラケット、基板、その他各種が含まれる。
【符号の説明】
【００５６】
１  リアクトル本体
２  支持体
２１  隆起部
２２  ボルト穴
３  コア
３１  磁性体ブロック
３２  スペーサ
４  樹脂モールド成形体
４１  第１分離体
４２  第２分離体
４３  境界部
４４  根元被覆部
４５  屈曲領域被覆部
４６  エッジ
４７  陥没領域
５  コイル
６  固定金具
６１  根元
６２  屈曲部
６３  穴部
【図４】
2014116494.tif 000003
【図１】
2014116494.tif 000004
【図２】
2014116494.tif 000005
【図３】
2014116494.tif 000006